【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
チャットグループに基づいてサービス操作を実行する方法であって、
前記チャットグループは、少なくとも２人のグループメンバを含み、
前記チャットグループのチャットインターフェースは、グループメンバ選択要求トリガボタンを具備し、
前記方法は：
グループメンバ選択要求を、前記チャットグループに対応するサーバへ送信するステップ（１１）であって、
前記グループメンバ選択要求トリガボタンへのトリガ命令を受信するステップと、
前記トリガ命令に応答して、前記チャットグループに対応する前記サーバへ前記グループメンバ選択要求を送信するステップと、を備える、前記送信するステップと；
前記チャットグループ内のグループメンバの特定の情報を前記チャットインターフェースに交互に表示するステップであって、前記特定の情報は、画像とテキスト識別子のうちの少なくとも一方を含む、前記交互に表示するステップと；
前記グループメンバ選択要求に応答して、所定のルールに従って前記サーバにより前記チャットグループから判定された少なくとも１人のグループメンバのグループメンバ情報を受信するステップ（１２）と；
前記受信したグループメンバ情報に対応するグループメンバの画像及び／又はテキスト識別子を前記チャットインターフェースに表示するステップと；
前記グループメンバ情報に対応するグループメンバによる所定のサービス操作の実行に応答するステップ（１３）、又は、前記グループメンバ情報に対応するグループメンバ以外のグループメンバによる所定のサービス操作の実行に応答するステップ（１３）と；を備える、
チャットグループに基づいてサービス操作を実行する方法。
【請求項２】
グループメンバ選択要求を、前記チャットグループに対応するサーバへ送信する前記ステップの後に、
前記方法は：
前記サーバによって送信されるインターフェース要素提示命令を受信するステップであって、インターフェース要素は、前記所定のサービス操作に対応する、前記受信するステップと；
前記インターフェース要素提示命令に従って、前記対応するインターフェース要素を提示するステップと；を更に備え、
前記グループメンバ情報に対応するグループメンバによる所定のサービス操作の実行に応答する前記ステップは、具体的に：
前記インターフェース要素に従い、前記グループメンバ情報に対応するグループメンバによる所定のサービス操作の実行に応答するステップ；を備える、
又は、
前記グループメンバ情報に対応するグループメンバ以外のグループメンバによる所定のサービス操作の実行に応答する前記ステップは、具体的に：
前記インターフェース要素に従い、前記グループメンバ情報に対応するグループメンバ以外のグループメンバによる所定のサービス操作の実行に応答するステップ；を備える、
請求項１に記載のサービス操作を実行する方法。
【請求項３】
前記グループメンバ選択要求は、前記所定のサービス操作のサービス識別子を備え、
前記インターフェース要素は、前記サービス識別子に対応しており、前記サーバにより前記サービス識別子に従って判定されたサービス操作のインターフェース要素である、
請求項２に記載のサービス操作を実行する方法。
【請求項４】
前記インターフェース要素は、前記所定のサービス操作の操作入力であり、
前記インターフェース要素に従い、前記グループメンバ情報に対応するグループメンバによる所定のサービス操作の実行に応答する前記ステップは、具体的に：
前記グループメンバ情報に対応するグループメンバからの操作入力に対する選択命令を受信するステップと；
前記選択命令に応答して、前記操作入力に対応する操作を実行するステップと；を備える、
請求項３に記載のサービス操作を実行する方法。
【請求項５】
前記グループメンバ選択要求に応答して、所定のルールに従って前記サーバにより前記チャットグループから少なくとも１人のグループメンバを判定するステップは、具体的に：
前記グループメンバ選択要求に応答して、前記チャットグループから少なくとも１人のグループメンバを、前記サーバによりランダムに判定するステップを備える、
請求項１乃至４のいずれか１項に記載のサービス操作を実行する方法。
【請求項６】
前記チャットグループの前記チャットインターフェースは、前記グループメンバ選択要求トリガボタンを具備し、
グループメンバ選択要求を、前記チャットグループに対応するサーバへ送信する前記ステップの後で、且つ、前記受信したグループメンバ情報に対応するグループメンバの画像及び／又はテキスト識別子を前記チャットインターフェースに表示する前記ステップの前に、
前記方法は：
前記グループメンバ選択要求トリガボタンが所定のアニメーション効果を奏するように、前記グループメンバ選択要求トリガボタンを所定の表示方式で表示するステップを更に備える、
請求項１に記載のサービス操作を実行する方法。
【請求項７】
前記グループメンバがグループメンバ選択要求を送信する必要がない場合、前記グループメンバ選択要求トリガボタンは隠され、前記チャットインターフェースのディスプレイ領域を占有することなく、ボタンオブジェクト提示エントリが、前記チャットインターフェースに提示される、
請求項１に記載のサービス操作を実行する方法。
【請求項８】
前記グループメンバが前記ボタンオブジェクト提示エントリをクリックすると、ソーシャルソフトウェアがトリガされ、前記グループメンバ選択要求トリガボタンを含む複数のボタンを提示する、
請求項７に記載のサービス操作を実行する方法。
【請求項９】
前記方法は、同一のデバイス又は複数の異なるデバイスによって実行される、
請求項１に記載のサービス操作を実行する方法。
【請求項１０】
チャットグループに基づいてサービス操作を実行する方法であって、
前記チャットグループは、少なくとも２人のグループメンバを含み、
前記チャットグループのチャットインターフェースは、グループメンバ選択要求トリガボタンを具備し、
前記方法は：
前記チャットグループにより送信されたグループメンバ選択要求を受信するステップであって、前記グループメンバ選択要求は、前記チャットグループが、前記グループメンバ選択要求トリガボタンへのトリガ命令を受信することに応答して送信される、前記受信するステップと；
前記グループメンバ選択要求に応答して、所定のルールに従って、前記チャットグループから少なくとも１人のグループメンバを判定するステップと；
前記チャットグループが、受信したグループメンバ情報に対応するグループメンバの画像及び／又はテキスト識別子を前記チャットインターフェースに表示して、前記判定されたグループメンバ、又は、前記判定されたグループメンバ以外のグループメンバが所定のサービス操作を実行できるようにするために、前記判定されたグループメンバのグループメンバ情報を前記チャットグループへ送信するステップと；を備える、
チャットグループに基づいてサービス操作を実行する方法。
【請求項１１】
前記グループメンバ選択要求は、前記所定のサービス操作のサービス識別子を含み、
前記方法は：
前記チャットグループにより送信された前記グループメンバ選択要求を受信した後に、前記グループメンバ選択要求内に含まれた所定のサービス操作のサービス識別子に従ってインターフェース要素提示命令を生成するステップと；
前記判定されたグループメンバ、又は、前記判定されたグループメンバ以外のグループメンバが、インターフェース要素に従って前記所定のサービス操作を実行できるようにするために、前記インターフェース要素提示命令を前記チャットグループへ送信するステップと；を更に備える、
請求項１０に記載のサービス操作を実行する方法。
【請求項１２】
前記グループメンバ選択要求に応答して、所定のルールに従って、前記チャットグループから少なくとも１人のグループメンバを判定する前記ステップは、具体的に：
前記グループメンバ選択要求に応答して、前記チャットグループから少なくとも１人のグループメンバをランダムに判定するステップを備える、
請求項１０に記載のサービス操作を実行する方法。
【請求項１３】
チャットグループに基づいてサービス操作を実行する装置であって、
前記チャットグループは、少なくとも２人のグループメンバを含み、
前記装置は：
請求項１乃至１２のいずれか１項に記載の方法を実行するように構成された複数のユニット（部）を備える、
チャットグループに基づいてサービス操作を実行する装置。
【手続補正２】
【補正対象書類名】明細書
【補正対象項目名】０１２０
【補正方法】変更
【補正の内容】
【０１２０】
上記は、本願の実施の形態に過ぎず、本願を限定するものではない。当業者であれば、本願は様々な変更及び変更を有することができる。本願の精神及び原理から逸脱することなくなされた任意の修正、均等物との置換及び改良は、本願の特許請求の範囲に含まれるべきである。
［第１の局面］
チャットグループに基づいてサービス操作を実行する方法であって、前記チャットグループは少なくとも２人のグループメンバを含み、前記方法は：
グループメンバ選択要求を、前記チャットグループに対応するサーバへ送信するステップと；
前記グループメンバ選択要求に応答して、所定のルールに従って前記サーバにより前記チャットグループから判定された少なくとも１人のグループメンバのグループメンバ情報を受信するステップと；
前記グループメンバ情報に対応する前記グループメンバによる所定のサービス操作の実行に応答するステップ、又は、前記グループメンバ情報に対応する前記グループメンバ以外のグループメンバによる前記所定のサービス操作の実行に応答するステップと；を備える、
チャットグループに基づいてサービス操作を実行する方法。
［第２の局面］
グループメンバ選択要求を前記チャットグループに対応するサーバへ送信する前記ステップの後に、前記方法は：
前記サーバによって送信されるインターフェース要素提示命令を受信するステップであって、前記インターフェース要素は前記所定のサービス操作に対応する、受信するステップと；
前記インターフェース要素提示命令に従って、前記対応するインターフェース要素を提示するステップと；を更に備え、
前記グループメンバ情報に対応する前記グループメンバによる所定のサービス操作の実行に応答する前記ステップは、具体的に、前記インターフェース要素に従い、前記グループメンバ情報に対応する前記グループメンバによる前記所定のサービス操作の実行に応答するステップ；を備える、又は、
前記グループメンバ情報に対応する前記グループメンバ以外のグループメンバによる前記所定のサービス操作の実行に応答する前記ステップは、具体的に、前記インターフェース要素に従い、前記グループメンバ情報に対応する前記グループメンバ以外のグループメンバによる前記所定のサービス操作の実行に応答するステップ；を備える、
第１の局面に記載の方法。
［第３の局面］
前記グループメンバ選択要求は、前記所定のサービス操作のサービス識別子を備え、
前記インターフェース要素は、前記サービス識別子に対応しており、前記サーバにより前記サービス識別子に従って判定されたサービス操作のインターフェース要素である、
第２の局面に記載の方法。
［第４の局面］
前記インターフェース要素は、前記所定のサービス操作の操作入力であり、
前記グループメンバ情報に対応する前記グループメンバによる前記インターフェース要素に従う前記所定のサービス操作の実行に応答する前記ステップは、具体的に：
前記グループメンバ情報に対応する前記グループメンバからの前記操作入力に対する選択命令を受信するステップと；
前記選択命令に応答して、前記操作入力に対応する操作を実行するステップと；を備える、
第３の局面に記載の方法。
［第５の局面］
前記チャットグループのチャットインターフェースがグループメンバ選択要求トリガボタンを具備し、
前記チャットグループに対応するサーバにグループメンバ選択要求を送信する前記ステップは、具体的に：
前記グループメンバ選択要求トリガボタンへのトリガ命令を受信するステップと；
前記トリガ命令に応答して、前記チャットグループに対応する前記サーバへ前記グループメンバ選択要求を送信するステップと；を備える、
第１の局面に記載の方法。
［第６の局面］
前記グループメンバ選択要求に応答して、所定のルールに従って前記サーバにより前記チャットグループから少なくとも１人のグループメンバのグループメンバを判定する前記ステップは、具体的に：
前記グループメンバ選択要求に応答して、前記チャットグループから少なくとも１人のグループメンバを、前記サーバによりランダムに判定するステップを備える、
第１の局面乃至第５の局面のいずれか１項に記載の方法。
［第７の局面］
前記受信したグループメンバ情報に対応する前記グループメンバの画像及び／又はテキスト識別子を前記チャットインターフェースに表示するステップを更に備える、
第１の局面乃至第５の局面のいずれか１項に記載の方法。
［第８の局面］
前記チャットグループに対応するサーバへグループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：
前記チャットグループ内の前記グループメンバの特定の情報を前記チャットインターフェースに交互に表示するステップを更に備え、
前記特定の情報は、画像とテキスト識別子のうちの少なくとも一方を含む、
第７の局面に記載の方法。
［第９の局面］
前記チャットグループの前記チャットインターフェースは前記グループメンバ選択要求トリガボタンを具備し、
前記チャットグループに対応するサーバへグループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：
前記グループメンバ選択要求トリガボタンが所定のアニメーション効果を奏するように、前記グループメンバ選択要求トリガボタンを所定の表示方式で表示するステップを更に備える、
第７の局面に記載の方法。
［第１０の局面］
チャットグループに基づいてサービス操作を実行する方法であって、前記チャットグループは少なくとも２人のグループメンバを含み、前記方法は：
前記チャットグループにより送信されたグループメンバ選択要求を受信するステップと；
前記グループメンバ選択要求に応答し、所定のルールに従って前記チャットグループから少なくとも１人のグループメンバを判定するステップと；
前記判定されたグループメンバ、又は、前記判定されたグループメンバ以外のグループメンバが所定のサービス操作を実行できるようにするために、前記判定されたグループメンバのグループメンバ情報を前記チャットグループへ送信するステップと；を備える、
チャットグループに基づいてサービス操作を実行する方法。
［第１１の局面］
前記グループメンバ選択要求は、前記所定のサービス操作のサービス識別子を含み、前記方法は：
前記チャットグループにより送信され前記グループメンバ選択要求を受信した後に、前記グループメンバ選択要求内に含まれた前記所定のサービス操作の前記サービス識別子に従ってインターフェース要素提示命令を生成するステップと；
前記判定されたグループメンバ、又は、前記判定されたグループメンバ以外のグループメンバが、前記インターフェース要素に従って前記所定のサービス操作を実行できるようにするために、前記インターフェース要素提示命令を前記チャットグループへ送信するステップと；を更に備える、
第１０の局面に記載の方法。
［第１２の局面］
前記グループメンバ選択要求に応答し、所定のルールに従って、前記チャットグループから少なくとも１人のグループメンバを判定する前記ステップは、具体的に：
前記グループメンバ選択要求に応答し、前記チャットグループから少なくとも１人のグループメンバをランダムに判定するステップを備える、
第１０の局面に記載の方法。
［第１３の局面］
少なくとも２人グループメンバを含むチャットグループのグループメンバ情報を取得する方法であって：
グループメンバ選択要求を前記チャットグループに対応するサーバへ送信するステップと；
前記グループメンバ選択要求に応答し、所定のルールに従って前記チャットグループから前記サーバにより判定された少なくとも１人のグループメンバのグループメンバ情報を受信するステップと；を備える、
チャットグループのグループメンバ情報を取得する方法。
［第１４の局面］
前記チャットグループのチャットインターフェースがグループメンバ選択要求トリガボタンを具備し、
前記グループメンバ選択要求を前記チャットグループに対応するサーバへ送信する前記ステップは、具体的に：
前記グループメンバ選択要求トリガボタンへのトリガ命令を受信するステップと；
前記トリガ命令に応答し、前記グループメンバ選択要求を前記チャットグループに対応する前記サーバへ送信するステップと；を備える、
第１３の局面に記載の方法。
［第１５の局面］
前記グループメンバ選択要求に応答し、所定のルールに従って前記チャットグループから少なくとも１人のグループメンバを前記サーバにより判定する前記ステップは、具体的に：
前記グループメンバ選択要求に応答し、前記サーバにより前記チャットグループから少なくとも１人のグループメンバをランダムに判定するステップを備える、
第１３の局面又は第１４の局面のうちいずれか１項に記載の方法。
［第１６の局面］
前記チャットインターフェースに、前記受信したグループメンバ情報に対応する前記グループメンバの画像及び／又はテキスト識別子を表示するステップを更に備える、
第１５の局面に記載の方法。
［第１７の局面］
グループメンバ選択要求を前記チャットグループに対応するサーバへ送信する前記ステップの後で且つ前記受信したグループメンバ情報に対応する前記グループメンバの画像及び／又はテキスト識別子を前記チャットインターフェースに表示する前記ステップの前に、前記方法は：
前記チャットグループ内の前記グループメンバの特定の情報を前記チャットインターフェースに交互に表示するステップを更に備え、
前記特定の情報は画像とテキスト識別子のうちの少なくとも一方を含む、
第１６の局面に記載の方法。
［第１８の局面］
前記チャットグループの前記チャットインターフェースが前記グループメンバ選択要求トリガボタンを具備する場合、前記チャットグループに対応するサーバに前記グループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：
前記グループメンバ選択要求トリガボタンが所定のアニメーション効果を奏するようにするために、前記グループメンバ選択要求トリガボタンを所定の表示方式で表示するステップを更に備える、
第１６の局面に記載の方法。
［第１９の局面］
グループメンバ情報を送信する方法であって：
グループメンバ選択要求を受信するステップと；
前記グループメンバ選択要求に応答して、チャットグループのグループメンバ情報を取得するステップと；
前記取得したグループメンバ情報から少なくとも１つのグループメンバ情報を選択するステップと；
前記選択したグループメンバ情報を前記チャットグループ内の少なくとも１人のグループメンバへ送信するステップと；を備える、
グループメンバ情報を送信する方法。
［第２０の局面］
少なくとも２人のグループメンバを含むチャットグループに基づいてサービス操作を実行する装置であって、前記装置は：
グループメンバ選択要求を前記チャットグループに対応するサーバへ送信するように構成された要求送信部と；
前記グループメンバ選択要求に応答し、所定のルールに従って、前記サーバにより前記チャットグループから判定された少なくとも１人のグループメンバのグループメンバ情報を受信するように構成されたグループメンバ情報受信部と；
前記グループメンバ情報に対応する前記グループメンバによる所定のサービス操作の実行に応答するように構成された、又は、前記グループメンバ情報に対応する前記グループメンバ以外のグループメンバによる所定のサービス操作の実行に応答するように構成されたサービス操作部と；を備える、
チャットグループに基づいてサービス操作を実行する装置。
［第２１の局面］
前記装置は：
前記サーバにより送信されたインターフェース要素提示命令を受信するように構成された提示命令受信部であって、前記インターフェース要素は所定のサービス操作に対応する、提示命令受信部と；
前記インターフェース要素提示命令に従って、対応するインターフェース要素を提示するように構成された要素提示部と；を更に備え、
前記サービス操作部は、前記グループメンバ情報に対応する前記グループメンバが前記インターフェース要素に従ってなされる前記所定のサービス操作に応答するように、又は、前記グループメンバ情報に対応する前記グループメンバ以外のグループメンバが前記インターフェース要素に従ってなされる前記所定のサービス操作に応答するように構成された、
第２０の局面に記載の装置。
［第２２の局面］
前記装置は：
前記チャットグループのチャットインターフェースにグループメンバ選択要求トリガボタンを提示するように構成されたボタン提示部を更に備え；
前記要求送信部は、具体的に、前記グループメンバ選択要求トリガボタンへのトリガ命令を受信し、又、前記トリガ命令に応答して、前記チャットグループに対応する前記サーバにグループメンバ選択要求を送信するように構成された、
第２１の局面に記載の装置。
［第２３の局面］
前記受信したグループメンバ情報に対応する前記グループメンバの画像及び／又はテキスト識別子をチャットインターフェースに表示するように構成されたグループメンバ画像表示部を更に備える、
第２０の局面乃至第２２の局面のいずれか１項に記載の装置。
［第２４の局面］
前記グループメンバ画像表示部は：
前記要求送信部がグループメンバ選択要求を、前記チャットグループに対応する前記サーバへ送信した後で且つ前記グループメンバ画像表示部が、前記受信したグループメンバ情報に対応する前記グループメンバの画像及び／又はテキスト識別子を前記チャットインターフェースに表示する前に、前記チャットインターフェースに、前記チャットグループ内の前記グループメンバの特定の情報を交互に表示するように構成され、
前記特定の情報は、画像及びテキスト識別子のうちの少なくとも一方を含む、
第２３の局面に記載の装置。
［第２５の局面］
前記チャットグループの前記チャットインターフェースが前記グループメンバ選択要求トリガボタンを具備する場合、前記グループメンバ画像表示部は：
前記要求送信部が、グループメンバ選択要求を前記チャットグループに対応する前記サーバへ送信した後で且つ前記グループメンバ画像表示部が、前記受信したグループメンバ情報に対応する前記グループメンバの前記画像及び／又はテキスト識別子を前記チャットインターフェースに表示する前に、前記グループメンバ選択要求トリガボタンが所定のアニメーション効果を奏するようにするために、前記グループメンバ選択要求トリガボタンを所定の表示方式にて表示するように更に構成された、
第２３の局面に記載の装置。
［第２６の局面］
少なくとも２人のグループメンバを含むチャットグループに基づいてサービス操作を実行する装置であって、前記装置は：
前記チャットグループにより送信されたグループメンバ選択要求を受信するように構成された要求受信部と；
前記グループメンバ選択要求に応答し、所定のルールに従って、前記チャットグループから少なくとも１人のグループメンバを判定するように構成されたグループメンバ判定部と；
前記判定されたグループメンバ、又は、前記判定されたグループメンバ以外のグループメンバが所定のサービス操作を実行できるようにするために、前記判定されたグループメンバのグループメンバ情報を前記チャットグループへ送信するように構成されたグループメンバ情報送信部と；を備える、
チャットグループベースでのサービス操作を実行する装置。
［第２７の局面］
少なくとも２人のグループメンバを含むチャットグループのグループメンバ情報を取得する装置であって、前記装置は：
グループメンバ選択要求を、前記チャットグループに対応するサーバへ送信するように構成された要求送信部と；
前記グループメンバ選択要求に応答し、所定のルールに従って、前記サーバにより前記チャットグループから判定された少なくとも１人のグループメンバのグループメンバ情報を受信するように構成されたグループメンバ情報受信部と；を備える、
チャットグループのグループメンバ情報を取得する装置。
［第２８の局面］
グループメンバ情報を送信する装置であって：
グループメンバ選択要求を受信するように構成された要求受信部と；
前記要求受信部により受信された前記グループメンバ選択要求に応答して、チャットグループのグループメンバ情報を取得するように構成されたグループメンバ情報取得部と；
前記グループメンバ情報取得部により取得された前記グループメンバ情報から少なくとも１つのグループメンバ情報を選択するように構成されたグループメンバ情報選択部と；
前記グループメンバ情報選択部により選択された前記グループメンバ情報を、前記チャットグループ内の少なくとも１人のグループメンバへ送信するように構成されたグループメンバ情報送信部と；を備える、
グループメンバ情報を送信する装置。